(57)【要約】      （修正有）【課題】ブラシ収納ケースを提供する。【解決手段】ブラシ収納ケースは箱体および二つの支持部６１を備える。箱体はＵ字型筐体３０、Ｕ字型筐体の両端に別々に配置されるサイドキャップ４０と、Ｕ字型筐体と二つのサイドキャップとの間に形成される収納空間２２と、Ｕ字型筐体の頂面に配置される蓋５０とを有する。ブラシは収納空間に収納される。収納空間は蓋によって遮蔽される。Ｕ字型筐体は内側板と、内側板に対応するように配置される外側板と、内側板と外側板との間に配置される複数の板状リブと、内側板および外側板と隣り合う二つの板状リブとの間に形成される中空部位３７とを有する。上述した特徴により、箱体は軽量化されたうえで良好な構造強度を保つことができる。二つの支持部６１はそれぞれ箱体の収納空間２２内に位置し、箱体に移動可能なように装着されるため、ブラシの長さに応じて位置を調整し、ブラシに良好な支持効果を発揮することができる。【選択図】図３
0003215797.tif 000002
【実用新案登録請求の範囲】
【請求項１】
ブラシの収納に用いられ、箱体および支持部材を備え、
前記箱体は、Ｕ字型筐体、二つのサイドキャップおよび蓋を有し、前記Ｕ字型筐体は内側板、外側板および複数の板状リブを有し、前記内側板および前記外側板は相互に間隔を置き、前記内側板は二つの相互に平行するように底面に配置されるレールを有し、複数の前記板状リブは前記内側板と前記外側板の間に相互に間隔を置いて配置されることで前記内側板および前記外側板と隣り合う二つの前記板状リブとの間に中空部位を形成し、二つの前記サイドキャップは前記Ｕ字型筐体の二つの相対する端部に配置され、前記Ｕ字型筐体との間に形成される収納空間を有し、前記ブラシは前記収納空間に収納され、前記蓋は前記収納空間を遮蔽するために前記Ｕ字型筐体の頂面に着脱可能なように配置され、
前記支持部材は、二つの支持部を有し、二つの前記支持部はそれぞれ前記箱体の前記収納空間内に装着され、頂部に上方支持溝を有し、底部に二つの相対する下方ガイド溝を有し、前記上方支持溝は前記ブラシの一端を支え、二つの前記下方ガイド溝は前記箱体の前記Ｕ字型筐体の前記レールに移動可能なように配置されるため、二つの前記支持部は前記箱体の前記収納空間内を移動できることを特徴とする、
ブラシ収納ケース。
【請求項２】
前記Ｕ字型筐体の前記外側板は両端に第一嵌合部と前記第一嵌合部と接するスライド溝とを別々に有し、前記蓋は相対する両側に第二嵌合部を別々に有し、前記第二嵌合部はスライド溝を移動可能なように前記第一嵌合部に嵌まり込むことを特徴とする請求項１に記載のブラシ収納ケース。
【請求項３】
前記Ｕ字型筐体は二つの相対する外側面から前記収納空間の方向へ凹んで形成された凹状掴み取り部を有することを特徴とする請求項１に記載のブラシ収納ケース。
【請求項４】
前記支持部は二つの相対する穿孔と、前記穿孔に差し込まれるピンと、二つの隣り合う前記ピンの間に配置される結束ベルトとを有し、前記ブラシの一端は前記結束ベルトによって結束されることを特徴とする請求項１に記載のブラシ収納ケース。
【請求項５】
前記の支持部はさらに頂部に二つの相対する上方ガイド溝を有するため、前記上方ガイド溝および前記下方ガイド溝のいずれか一つによって前記箱体の前記Ｕ字型筐体の前記レールに嵌まり込むことができることを特徴とする請求項１に記載のブラシ収納ケース。
【請求項６】
前記支持部はさらに底部に下方支持溝を有するため、前記上方支持溝および前記下方支持溝によって前記ブラシの一端を支えることができることを特徴とする請求項１に記載のブラシ収納ケース。
【請求項７】
前記上方支持溝および前記下方支持溝はサイズが一致することを特徴とする請求項６に記載のブラシ収納ケース。
【請求項８】
前記上方支持溝および前記下方支持溝はサイズが異なることを特徴とする請求項６に記載のブラシ収納ケース。
【請求項９】
前記上方支持溝および前記下方支持溝は形が一致することを特徴とする請求項６に記載のブラシ収納ケース。
【請求項１０】
前記上方支持溝および前記下方支持溝は形が異なることを特徴とする請求項６に記載のブラシ収納ケース。
【考案の詳細な説明】
【技術分野】
【０００１】
本考案はブラシ収納ケースに関し、詳しくは構造強度が良好で軽量化を実現させ、搬送および保管の便をはかることができるブラシ収納ケースに関するものである。
【背景技術】
【０００２】
ガラス基板を洗浄する際、ブラシは欠かせない工具である。ブラシの表面を直接ガラス基板に接触させればガラス基板に残留した異物を効果的に除去することができる。しかしながら、長期にわたってブラシが継続的に使用される場合、ブラシの清浄力が落ちて異物をブラシの表面に付着させてしまうことで製造工程を汚染する原因になるため、良好な洗浄効果を維持するにはブラシを定期的に交換することが必要である。
【０００３】
ガラス基板のサイズが増大すればブラシの長さが増大する。ブラシを保管する際、未使用のブラシを収納ケースに保管することが一般的であり、ブラシを交換する際、収納ケースを開ければ新品のブラシを使用できる。しかしながら、従来の収納ケースは軽量化されていなかったため、搬送過程において作業員はより多くの体力を消耗してしまう。従って従来の構造には改善の余地がある。
【考案の概要】
【考案が解決しようとする課題】
【０００４】
本考案は、構造強度が良好で軽量化のニーズを満足させることができるブラシ収納ケースを提供することを主な目的とする。
【課題を解決するための手段】
【０００５】
上述した課題を解決するため、ブラシ収納ケースは箱体および支持部材を備える。箱体はＵ字型筐体、二つのサイドキャップおよび蓋を有する。Ｕ字型筐体は内側板、外側板および複数の板状リブを有する。内側板および外側板は相互に間隔を置く。内側板は二つの相互に平行するように底面に配置されるレールを有する。複数の板状リブは内側板と外側板の間に相互に間隔を置くように配置されることで内側板および外側板と隣り合う二つの板状リブとの間に中空部位を形成するため、Ｕ字型筐体は軽量化されたうえで良好な構造強度を保つことができる。二つのサイドキャップはＵ字型筐体の二つの相対する端部に配置され、Ｕ字型筐体との間に形成される収納空間を有する。ブラシは収納空間に収納される。蓋は収納空間を遮蔽するためにＵ字型筐体の頂面に着脱可能なように配置される。支持部材は二つの支持部を有する。二つの支持部はそれぞれ箱体の収納空間内に装着され、頂部に上方支持溝を有する。上方支持溝はブラシの一端を支える。二つの支持部は底部に二つの相対する下方ガイド溝を有する。二つの下方ガイド溝は箱体のＵ字型筐体のレールに移動可能なように配置されるため、二つの支持部はブラシの長さによって箱体の収納空間内を移動できる。
【０００６】
比較的好ましい場合、Ｕ字型筐体の外側板は両端に第一嵌合部と第一嵌合部と接するスライド溝とを別々に有する。蓋は相対する両側に第二嵌合部を別々に有する。第二嵌合部はスライド溝を移動可能なように第一嵌合部に嵌まり込む。蓋を取り付ける際、蓋を下へ押し、Ｕ字型筐体の第一嵌合部に蓋の第二嵌合部を嵌めればよい。蓋を取り外す際、スライド溝の延長方向に沿って蓋を引っ張るか、直接蓋を上に開ければ蓋が取り外せる。
【０００７】
比較的好ましい場合、Ｕ字型筐体は二つの相対する外側面から収納空間の方向へ凹んで形成された凹状掴み取り部を有する。指を凹状掴み取り部に入れれば搬送の利便性を向上させることができる。
【０００８】
比較的好ましい場合、それぞれの支持部は二つの相対する穿孔と、穿孔に差し込まれるピンと、二つの隣り合うピンの間に配置される結束ベルトとを有する。結束ベルトはブラシの一端を結束するため、ブラシを搬送する際の安定性を向上させることができる。
【０００９】
比較的好ましい場合、それぞれの支持部はさらに頂部に二つの相対する上方ガイド溝を有するため、二つの上方ガイド溝および二つの下方ガイド溝のいずれか一つによって箱体のＵ字型筐体のレールに嵌まり込むことができる。
【００１０】
比較的好ましい場合、それぞれの支持部はさらに底部に下方支持溝を有するため、上方支持溝または下方支持溝によってブラシのシャフトを支えることができる。上方支持溝および下方支持溝はサイズおよび形がブラシのシャフトの軸径に対応して一致するか異なる。
【００１１】
本考案によるブラシ収納ケースの詳細な構造、特徴、組み立てまたは使用方法について、以下の実施形態の詳細な説明を通して明確にする。なお、以下の詳細な説明および本考案により提示された実施形態は本考案を説明するための一例に過ぎず、本考案の請求範囲を限定できないことは、本考案にかかわる領域において常識がある者ならば理解できるはずである。
【図面の簡単な説明】
【００１２】
【図１】本考案の一実施形態によるブラシ収納ケースを示す斜視図である。
【図２】本考案の一実施形態によるブラシ収納ケースを示す分解斜視図である。
【図３】本考案の一実施形態によるブラシ収納ケースの一部分を示す分解斜視図である。
【図４】本考案の一実施形態によるブラシ収納ケースの端面を示す断面図である。
【考案を実施するための形態】
【００１３】
（一実施形態）
図１および図２に示すように、本考案の一実施形態によるブラシ収納ケース１０は、箱体２０および支持部材６０を備える。
【００１４】
箱体２０は、Ｕ字型筐体３０、二つのサイドキャップ４０および蓋５０を有する。
【００１５】
Ｕ字型筐体３０は、内側板３１、外側板３３および複数の板状リブ３６を有する。内側板３１および外側板３３は相互に間隔を置く。複数の板状リブ３６は二つずつ内側板３１と外側板３３の間に相互に間隔を置くように連結されることで内側板３１および外側板３３と隣り合う二つの板状リブ３６との間に中空部位３７を形成する。
内側板３１は二つの相互に平行するように底面に配置されるレール３２を有する。外側板３３は頂部に二つの相対する第一嵌合部３４および二つの相対するスライド溝３５を有する。第一嵌合部３４は頂部が内側板３１の頂部に接する。スライド溝３５は第一嵌合部３４の底部に接する。
【００１６】
図２および図３に示すように、二つのサイドキャップ４０はＵ字型筐体３０の二つの相対する端部に配置され、Ｕ字型筐体３０との間に形成される収納空間２２を有する。ブラシ１２は収納空間２２に収納される。
【００１７】
図２および図４に示すように、蓋５０は板面５１および二つの相対する翼部５２を有する。二つの翼部５２は頂部が板面５１の二つの相対する側辺に連結され、それぞれ底部に第二嵌合部５３を有する。Ｕ字型筐体３０に蓋５０を取り付ける際、蓋５０の二つの翼部５２の第二嵌合部５３をＵ字型筐体３０の第一嵌合部３４に嵌め込み、Ｕ字型筐体３０のスライド溝３５内に位置させれば、蓋５０の板面５１で収納空間２２を遮蔽することができる。
図３に示すように、蓋５０を取り外す際、蓋５０の一端を引っ張って蓋５０を外側へ引き出すか、直接蓋５０を持ち上げればよい。本実施形態は蓋５０を引っ張って引き出すことを例として挙げる。蓋５０の第二嵌合部５３はＵ字型筐体３０のスライド溝３５に沿って移動し、スライド溝３５から離脱すると、Ｕ字型筐体３０の第一嵌合部３４との嵌合関係が解除される。ことのき蓋５０を完全に取り外すことができる。
【００１８】
一方、箱体２０を搬送する際の利便性を向上させるために、Ｕ字型筐体３０は二つの相対する外側面に凹状掴み取り部３８を別々に有する。図２および図４に示すように、凹状掴み取り部３８は内側板３１とともに外側板３３から収納空間２２の方向へ凹んで形成される。指を凹状掴み取り部３８に入れれば搬送の利便性を向上させることができる。
【００１９】
図２および図４に示すように、支持部材６０は二つの支持部６１を有する。支持部６１は頂部に二つの相対する上方ガイド溝６２を有し、底部に二つの相対する下方ガイド溝６３を有する。二つの支持部６１は同時に上方ガイド溝６２および下方ガイド溝６３のいずれか一つによって箱体２０のＵ字型筐体３０のレール３２に嵌まり込み、箱体２０の収納空間２２内を移動することができる。
本実施形態において、二つの支持部６１は同時に下方ガイド溝６３によって箱体２０のＵ字型筐体３０のレール３２に嵌まり込む。それぞれの支持部６１はさらに頂部の二つの上方ガイド溝６２の間に位置する上方支持溝６４と、底部の下方ガイド溝６３の間に位置する下方支持溝６５とを有する。二つの支持部６１は同時に上方支持溝６４および下方支持溝６５のいずれか一つによってブラシ１２を支え、ブラシ１２に支持効果を発揮することができる。本実施形態において、二つの支持部６１は同時に上方支持溝６４によってブラシ１２を支える。
【００２０】
上方支持溝６４および下方支持溝６５はサイズおよび形が同じであっても異なってもよい。本実施形態において、上方支持溝６４および下方支持溝６５はサイズの異なるブラシ１２に応じてサイズおよび形が異なる。
図２に示すように、上方支持溝６４は半円形である。下方支持溝６５は三角形である。上方支持溝６４で支えらえるブラシ１２のサイズは下方支持溝６５で支えられるブラシ１２のサイズより大きい。支持部６１の取付方向はブラシ１２の大きさによって決まる。
【００２１】
図２から図４に示すように、それぞれの支持部６１は上方ガイド溝６２と下方ガイド溝６３との間に二つの相対する穿孔６６と、二つの穿孔６６に差し込まれるピン６７と、二つの隣り合うピン６７の間に配置される結束ベルト６８とを有する。結束ベルト６８はブラシ１２の末端部を結束するため、搬送中にブラシ１２と箱体２０とが相互に衝突して損壊することを抑制できる。
【００２２】
本考案によるブラシ収納ケース１０は複数の中空部位３７が設計されるため、箱体２０を軽量化できると同時に良好な構造強度を維持できる。二つの支持部６１は移動可能なように設計されるため、ブラシ１２の長さに応じてブラシ１２に最良の支持効果を発揮する位置を調整することができる。結束ベルト６８は結束効果を発揮するため、ブラシ１２を収納および搬送する際、構造全体の安定性を良好に維持し、損壊の発生を抑制することができる。
【符号の説明】
【００２３】
１０  ブラシ収納ケース
１２  ブラシ
２０  箱体
２２  収納空間
３０  Ｕ字型筐体
３１  内側板
３２  レール
３３  外側板
３４  第一嵌合部
３５  スライド溝
３６  板状リブ
３７  中空部位
３８  凹状掴み取り部
４０  サイドキャップ
５０  蓋
５１  板面
５２  翼部
５３  第二嵌合部
６０  支持部材
６１  支持部
６２  上方ガイド溝
６４  上方支持溝
６５  下方支持溝
６６  穿孔
６７  ピン
６８  結束ベルト
【図１】
0003215797.tif 000003
【図２】
0003215797.tif 000004
【図３】
0003215797.tif 000005
【図４】
0003215797.tif 000006